(57)【特許請求の範囲】
【請求項１】
第１のフォーマット又は第２のフォーマットによりＨＥパケットを生成し、前記ＨＥパケットは１つ以上のレガシー信号（Ｌ−ＳＩＧ）フィールドと、その後の１つ以上のＨＥ信号フィールド（ＨＥ−ＳＩＧ）及びＨＥロングトレーニングフィールド（ＨＥ−ＬＴＦ）とを有し、前記１つ以上のＬ−ＳＩＧフィールドのそれぞれは長さフィールドを有し、
前記ＨＥパケットが前記第１のフォーマット又は前記第２のフォーマットにより構成されるか示すよう前記ＨＥパケットを構成し、前記長さフィールドのモジュロー３＝１と前記長さフィールドのモジュロー３＝２とはそれぞれ、前記第１のフォーマットと前記第２のフォーマットの異なる１つを示す、
よう構成される回路を有するＨＥ（Ｈｉｇｈ−Ｅｆｆｉｃｉｅｎｃｙ）ステーション。
【請求項２】
前記１つ以上のＬ−ＳＩＧの後のシンボルは、前記ＨＥパケットが前記第２のフォーマットのショートプリアンブルフォーマット又は前記第２のフォーマットのロングプリアンブルフォーマットにより構成されているか示す、請求項１記載のＨＥステーション。
【請求項３】
前記回路は更に、
送信機会（ＴＸＯＰ）において直交周波数分割多重接続（ＯＦＤＭＡ）技術に従って通信用の第２のＨＥステーションにダウンリンク送信において前記ＨＥパケットを送信するよう構成される、請求項１記載のＨＥステーション。
【請求項４】
前記ショートプリアンブルフォーマットについて、前記回路は、より短い遅延拡散チャネルのため前記フィールドを構成し、
前記ロングプリアンブルフォーマットについて、前記回路は、より長い遅延拡散チャネルのため前記フィールドを構成する、請求項２記載のＨＥステーション。
【請求項５】
前記ショートプリアンブルフォーマットについて、前記回路は、４ｘまでの圧縮ファクタに従って前記ＨＥ−ＬＴＦを圧縮し、
前記ロングプリアンブルフォーマットについて、前記回路は、前記Ｌ−ＳＩＧと前記ＨＥ−ＳＩＧとの少なくとも１つが時間領域において繰り返されるように前記パケットを構成する、請求項２記載のＨＥステーション。
【請求項６】
前記回路は更に、通信エラーの数が閾値に達した場合、前記ロングプリアンブルフォーマットに従って前記ＨＥパケットを生成するよう構成される、請求項２記載のＨＥステーション。
【請求項７】
前記回路は更に、屋内利用のために前記ショートプリアンブルフォーマットに従って前記ＨＥパケットを生成し、屋外利用のために前記ロングプリアンブルフォーマットに従って前記ＨＥパケットを生成するよう構成される、請求項２記載のＨＥステーション。
【請求項８】
前記ＨＥ−ＳＩＧは、ＨＥ−ＳＩＧ−Ａ、ＨＥ−ＳＩＧ−Ｂ１及びＨＥ−ＳＩＧ−Ｂ２を有し、
前記ロングプリアンブルフォーマットについて、前記回路は、前記ＨＥ−ＳＩＧ−Ａが時間領域において繰り返され、前記ＨＥ−ＳＩＧ−Ｂ１が前記ショートプリアンブルフォーマットのための前記ＨＥ−ＳＩＧ−Ｂ１より長いガードインターバルにより構成されるように前記パケットを構成する、請求項２記載のＨＥステーション。
【請求項９】
前記ロングプリアンブルフォーマットについて、ＨＥ−ＳＩＧ−Ａは、ＳＩＧ−Ａ−Ａ１及びＳＩＧ−Ａ−Ａ２を有し、
ＳＩＧ−Ａ−Ａ１及びＳＩＧ−Ａ−Ａ２の一方又は双方が繰り返される、請求項２記載のＨＥステーション。
【請求項１０】
以下の群、前記Ｌ−ＳＩＧフィールドの１つ以上が繰り返されるか、前記Ｌ−ＳＩＧフィールドの後のシンボル、繰り返されるＬ−ＳＩＧのＬ−ＳＩＧポラリティ又は前記１つ以上のＬ−ＳＩＧフィールドの１つの長さフィールドからの１つは、前記ＨＥパケットが前記ショートプリアンブルフォーマット又は前記ロングプリアンブルフォーマットにより構成されているか示す、請求項２記載のＨＥステーション。
【請求項１１】
前記ロングプリアンブルフォーマットについて、前記ＨＥ−ＬＴＦは、前記ショートプリアンブルフォーマットについて前記ＨＥ−ＬＴＦを圧縮するのに利用される圧縮ファクタ未満である圧縮ファクタに従って圧縮されるか、又は圧縮されないかの何れかである、請求項２記載のＨＥステーション。
【請求項１２】
回路、前記回路に結合されるメモリ及び前記回路に結合される１つ以上のアンテナを更に有する、請求項１記載のＨＥステーション。
【請求項１３】
ＨＥ（Ｈｉｇｈ−Ｅｆｆｉｃｉｅｎｃｙ）ステーションによって実行される通信のための方法であって、
第１のフォーマット又は第２のフォーマットによりＨＥパケットを生成し、前記ＨＥパケットは１つ以上のレガシー信号（Ｌ−ＳＩＧ）フィールドと、その後の１つ以上のＨＥ信号フィールド（ＨＥ−ＳＩＧ）及びＨＥロングトレーニングフィールド（ＨＥ−ＬＴＦ）とを有し、前記１つ以上のＬ−ＳＩＧフィールドのそれぞれは長さフィールドを有し、
前記ＨＥパケットが前記第１のフォーマット又は前記第２のフォーマットにより構成されるか示すよう前記ＨＥパケットを構成し、前記長さフィールドのモジュロー３＝１と前記長さフィールドのモジュロー３＝２とはそれぞれ、前記第１のフォーマットと前記第２のフォーマットの異なる１つを示す、
ことを有する方法。
【請求項１４】
以下の群、前記Ｌ−ＳＩＧフィールドの１つ以上が繰り返されるか、前記Ｌ−ＳＩＧフィールドの後のシンボル、繰り返されるＬ−ＳＩＧのＬ−ＳＩＧポラリティ又は前記１つ以上のＬ−ＳＩＧフィールドの１つの長さフィールドからの１つは、前記ＨＥパケットが前記第２のフォーマットのショートプリアンブルフォーマット又は前記第２のフォーマットのロングプリアンブルフォーマットにより構成されているか示す、請求項１３記載の方法。
【請求項１５】
第１のフォーマット又は第２のフォーマットによりＨＥパケットを生成し、前記ＨＥパケットは１つ以上のレガシー信号（Ｌ−ＳＩＧ）フィールドと、その後の１つ以上のＨＥ信号フィールド（ＨＥ−ＳＩＧ）及びＨＥロングトレーニングフィールド（ＨＥ−ＬＴＦ）とを有し、前記１つ以上のＬ−ＳＩＧフィールドのそれぞれは長さフィールドを有し、
前記ＨＥパケットが前記第１のフォーマット又は前記第２のフォーマットにより構成されるか示すよう前記１つ以上のレガシー信号フィールド（Ｌ−ＳＩＧ）を構成し、前記長さフィールドのモジュロー３＝１と前記長さフィールドのモジュロー３＝２とはそれぞれ、前記第１のフォーマットと前記第２のフォーマットの異なる１つを示す、
ことをコンピュータに実行させるプログラム。
【請求項１６】
請求項１５記載のプログラムを記憶するコンピュータ可読記憶媒体。
【請求項１７】
メモリと、前記メモリに結合される処理回路とを有する装置であって、
前記処理回路は、
ＨＥ  ＰＬＣＰ（Ｐｈｙｓｉｃａｌ  Ｌａｙｅｒ  Ｃｏｎｖｅｒｇｅｎｃｅ  Ｐｒｏｔｏｃｏｌ）  ＰＰＤＵ（Ｐｒｏｔｏｃｏｌ  Ｄａｔａ  Ｕｎｉｔ）のプリアンブルを符号化し、前記プリアンブルは１つ以上のレガシー信号（Ｌ−ＳＩＧ）フィールドを含むレガシー部分を有し、前記１つ以上のＬ−ＳＩＧフィールドは長さフィールドを含み、１又は２に等しい前記長さフィールドの値のモジュロー３は、前記プリアンブルがＨＥ（Ｈｉｇｈ−Ｅｆｆｉｃｉｅｎｃｙ）プリアンブル部分を有することを示し、前記１つ以上のＬ−ＳＩＧフィールドは第１のＨＥ  ＳＩＧ  Ａフォーマット又は第２のＨＥ  ＳＩＧ  Ａフォーマットを示し、
無線デバイスによる送信のため、前記プリアンブルを含むよう前記ＨＥ  ＰＰＤＵを構成するよう構成される装置。
【請求項１８】
前記処理回路は更に、
前記１つ以上のＬ−ＳＩＧフィールドが前記第１のＨＥ  ＳＩＧ  Ａフォーマットを示す場合、ＨＥ−ＳＩＧ−Ａフィールドと繰り返されるＨＥ−ＳＩＧ−Ａフィールドとを含むよう前記ＨＥプリアンブル部分を符号化するよう構成され、前記繰り返されるＨＥ−ＳＩＧ−Ａは時間における前記ＨＥ−ＳＩＧ−Ａの繰り返しである、請求項１７記載の装置。
【請求項１９】
前記１つ以上のＬ−ＳＩＧフィールドはＬ−ＳＩＧフィールドと繰り返されるＬ−ＳＩＧフィールドとを有し、前記繰り返されるＬ−ＳＩＧフィールドは前記Ｌ−ＳＩＧフィールドの重複である、請求項１８記載の装置。
【請求項２０】
前記処理回路は更に、
前記１つ以上のＬ−ＳＩＧフィールドが前記第２のＨＥ  ＳＩＧ  Ａフォーマットを示す場合、ＨＥ−ＳＩＧ−Ａフィールドの単一のインスタンスを含むよう前記ＨＥプリアンブル部分を符号化するよう構成される、請求項１８記載の装置。
【請求項２１】
前記処理回路は更に、
前記１つ以上のＬ−ＳＩＧフィールドが前記第２のＨＥ  ＳＩＧ  Ａフォーマットを示す場合、Ｋ２シンボルによるＨＥ−ＳＩＧ−Ｂを更に含むよう前記ＨＥプリアンブル部分を符号化するよう構成され、
Ｋ２は可変的である、請求項１７記載の装置。
【請求項２２】
前記処理回路は更に、
前記１つ以上のＬ−ＳＩＧフィールドが前記第１のＨＥ  ＳＩＧ  Ａフォーマットを示す場合、ＨＥ−ＳＩＧ−Ａ１、繰り返しＨＥ−ＳＩＧ−Ａ１、ＨＥ−ＳＩＧ−Ａ２及び繰り返しＨＥ−ＳＩＧ−Ａ２を更に含むよう前記ＨＥプリアンブル部分を符号化するよう構成される、請求項１７記載の装置。
【請求項２３】
前記処理回路は更に、
前記１つ以上のＬ−ＳＩＧフィールドが前記第１のＨＥ  ＳＩＧ  Ａフォーマットを示す場合、ＨＥ−ＳＩＧ−Ａを含むよう前記ＨＥプリアンブル部分を符号化するよう構成され、
前記ＨＥ−ＳＩＧ−Ａのデュレーションは８μｓである、請求項１７記載の装置。
【請求項２４】
前記処理回路は更に、
前記１つ以上のＬ−ＳＩＧフィールドが前記第２のＨＥ  ＳＩＧ  Ａフォーマットを示す場合、ＨＥ−ＳＩＧ−Ａを含むよう前記ＨＥプリアンブル部分を符号化するよう構成され、
前記ＨＥ−ＳＩＧ−Ａのデュレーションは８μｓである、請求項１７記載の装置。
【請求項２５】
前記第１のＨＥ  ＳＩＧ  Ａフォーマットは屋外利用のためである、請求項１７記載の装置。
【請求項２６】
前記無線デバイスは、ＩＥＥＥ８０２．１１ａｘアクセスポイント又はＩＥＥＥ８０２．１１ａｘステーションである、請求項１７記載の装置。
【請求項２７】
前記長さフィールドは１２ビットである、請求項１７記載の装置。
【請求項２８】
前記処理回路に結合される送受信回路を更に有する、請求項１７記載の装置。
【請求項２９】
前記送受信回路に結合される１つ以上のアンテナを更に有する、請求項２８記載の装置。
【請求項３０】
装置によって実行される方法であって、
ＨＥ  ＰＬＣＰ（Ｐｈｙｓｉｃａｌ  Ｌａｙｅｒ  Ｃｏｎｖｅｒｇｅｎｃｅ  Ｐｒｏｔｏｃｏｌ）  ＰＰＤＵ（Ｐｒｏｔｏｃｏｌ  Ｄａｔａ  Ｕｎｉｔ）のプリアンブルを符号化し、前記プリアンブルは１つ以上のレガシー信号（Ｌ−ＳＩＧ）フィールドを含むレガシー部分を有し、前記１つ以上のＬ−ＳＩＧフィールドは長さフィールドを含み、１又は２に等しい前記長さフィールドの値のモジュロー３は、前記プリアンブルがＨＥ（Ｈｉｇｈ−Ｅｆｆｉｃｉｅｎｃｙ）プリアンブル部分を有することを示し、前記１つ以上のＬ−ＳＩＧフィールドは第１のＨＥ  ＳＩＧ  Ａフォーマット又は第２のＨＥ  ＳＩＧ  Ａフォーマットを示し、
無線デバイスによる送信のため、前記プリアンブルを含むよう前記ＨＥ  ＰＰＤＵを構成することを含む方法。
【請求項３１】
前記１つ以上のＬ−ＳＩＧフィールドが前記第１のＨＥ  ＳＩＧ  Ａフォーマットを示す場合、ＨＥ−ＳＩＧ−Ａ及び繰り返されるＨＥ−ＳＩＧ−Ａを更に含むよう前記ＨＥプリアンブル部分を符号化することを含み、前記繰り返されるＨＥ−ＳＩＧ−Ａは時間における前記ＨＥ−ＳＩＧ−Ａの繰り返しである、請求項３０記載の方法。
【請求項３２】
１つ以上のプロセッサに、
ＨＥ（Ｈｉｇｈ  Ｅｆｆｉｃｉｅｎｃｙ）  ＰＬＣＰ（Ｐｈｙｓｉｃａｌ  Ｌａｙｅｒ  Ｃｏｎｖｅｒｇｅｎｃｅ  Ｐｒｏｔｏｃｏｌ）  ＰＰＤＵ（Ｐｒｏｔｏｃｏｌ  Ｄａｔａ  Ｕｎｉｔ）のプリアンブルを符号化させ、前記プリアンブルは長さフィールドを含むレガシー信号（Ｌ−ＳＩＧ）フィールドを含むレガシー部分を有し、１又は２に等しい前記長さフィールドの値のモジュロー３は、前記プリアンブルがＨＥ部分を有することを示し、
２に等しい前記長さフィールドのモジュロー３の値により前記長さフィールドの値を符号化させ、
ＨＥ−ＳＩＧ−Ａ及び繰り返されるＨＥ−ＳＩＧ−Ａを含むよう前記ＨＥプリアンブル部分を符号化させ、前記繰り返されるＨＥ−ＳＩＧ−Ａは時間における前記ＨＥ−ＳＩＧ−Ａの繰り返しであり、
ＨＥ無線デバイスによる送信のため、前記プリアンブルを含むよう前記ＨＥ  ＰＰＤＵを構成させるプログラム。
【請求項３３】
前記１つ以上のプロセッサに、
ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）又はＭＵ−ＭＩＭＯ（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ）の１つに従う送信のため、前記ＨＥプリアンブル部分を含む前記ＨＥ  ＰＰＤＵを更に構成させる、請求項３２記載のプログラム。
【請求項３４】
前記ＨＥ無線デバイスは、ＩＥＥＥ８０２．１１ａｘアクセスポイント又はＩＥＥＥ８０２．１１ａｘステーションである、請求項３２記載のプログラム。
【請求項３５】
メモリと、前記メモリに結合される処理回路とを有する装置であって、
前記処理回路は、
ＨＥ  ＰＬＣＰ（Ｐｈｙｓｉｃａｌ  Ｌａｙｅｒ  Ｃｏｎｖｅｒｇｅｎｃｅ  Ｐｒｏｔｏｃｏｌ）  ＰＰＤＵ（Ｐｒｏｔｏｃｏｌ  Ｄａｔａ  Ｕｎｉｔ）のプリアンブルを復号化し、前記プリアンブルは１つ以上のレガシー信号（Ｌ−ＳＩＧ）フィールドを含むレガシー部分を有し、前記１つ以上のＬ−ＳＩＧフィールドは長さフィールドを含み、１又は２に等しい前記長さフィールドの値のモジュロー３は、前記プリアンブルがＨＥ（Ｈｉｇｈ−Ｅｆｆｉｃｉｅｎｃｙ）プリアンブル部分を有することを示し、前記１つ以上のＬ−ＳＩＧフィールドは第１のＨＥ  ＳＩＧ  Ａフォーマット又は第２のＨＥ  ＳＩＧ  Ａフォーマットを示し、
前記１つ以上のＬ−ＳＩＧフィールドが前記第１のＨＥ  ＳＩＧ  Ａフォーマットを示す場合、前記ＨＥプリアンブル部分を復号化し、前記ＨＥプリアンブル部分はＨＥ−ＳＩＧ−Ａ及び繰り返されるＨＥ−ＳＩＧ−Ａを含み、前記繰り返されるＨＥ−ＳＩＧ−Ａは時間における前記ＨＥ−ＳＩＧ−Ａの繰り返しであり、
前記１つ以上のＬ−ＳＩＧフィールドが前記第２のＨＥ  ＳＩＧ  Ａフォーマットを示す場合、前記ＨＥプリアンブル部分を復号化するよう構成され、前記ＨＥプリアンブル部分は前記ＨＥ−ＳＩＧ−Ａの単一のインスタンスを含む装置。
【請求項３６】
前記処理回路に結合される送受信回路と、前記送受信回路に結合される１つ以上のアンテナとを更に有する、請求項３５記載の装置。
【発明の詳細な説明】
【技術分野】
【０００１】
［優先権主張］
本出願は、各々が参照することによってその全体がここに援用される、２０１４年１１月５日に出願された米国仮特許出願第６２／０７５，３８１号に対する優先権の利益を主張する２０１４年１２月２２日に出願された米国特許出願第１４／５７９，７００号に対する優先権の利益を主張する。
［技術分野］
実施例は、無線ネットワークに関する。一部の実施例は、ＩＥＥＥ８０２．１１ａ／ｇ／ｎ／ａｃ規格又はＩＥＥＥ８０２．１１ａｘ規格などのＩＥＥＥ（ｔｈｅ  Ｉｎｓｔｉｔｕｔｅ  ｏｆ  Ｅｌｅｃｔｒｏｎｉｃ  ａｎｄ  Ｅｌｅｃｔｒｉｃａｌ  Ｅｎｇｉｎｅｅｒｓ）８０２．１１規格ファミリに従って動作するネットワークを含むＨｉｇｈ  Ｅｆｆｉｃｉｅｎｃｙ（ＨＥ）無線ローカルエリアネットワーク（ＷＬＡＮ）に関する。一部の実施例は、異なるサイズのプリアンブルを利用することに関する。
【背景技術】
【０００２】
実施例は、無線ネットワークに関する。しばしば、パケットのプリアンブル及び他の非データ部分は、無線装置がパケットを適切に受信して、受信したパケットを解釈することを可能にするため、無線装置間で送信される。しかしながら、プリアンブル及び他の非データ部分は、無線装置間でデータを直接的には伝達しないため、ネットワークの効率性を損なう。
【０００３】
さらに、しばしば複数の規格がＷＬＡＮにおいて利用されうる。例えば、Ｈｉｇｈ  Ｅｆｆｉｃｉｅｎｃｙ無線ローカルエリアネットワーク（ＷＬＡＮ）（ＨＥＷ）として参照されるＩＥＥＥ８０２．１１ａｘは、従来バージョンの８０２．１１と共に利用される必要があり得る。
【０００４】
従って、無線装置間の通信の処理及び／又は効率性を向上させることが当該分野において全体的に必要とされる。
【図面の簡単な説明】
【０００５】
本開示は、同様の参照が同様の要素を示す添付図面の図において限定することなく例示的に示される。
【図１】図１は、一部の実施例による無線ネットワークを示す。
【図２】図２は、一部の実施例によるショートプリアンブルフォーマットを示す。
【図３】図３は、一部の実施例によるロングプリアンブルフォーマットを示す。
【図４】図４は、一部の実施例によるレガシー信号フィールド（Ｌ−ＳＩＧ）を示す。
【図５】図５は、一部の実施例によるショートプリアンブルフォーマット又はロングプリアンブルフォーマットの何れかによってＨＥパケットを設定する方法を示す。
【図６】図６は、一部の実施例によるＨＥパケットを解釈する方法を示す。
【図７】図７は、一部の実施例によるＨＥＷ装置を示す。
【発明を実施するための形態】
【０００６】
以下の説明及び図面は、当業者が実施することを可能にするのに十分に特定の実施例を示す。他の実施例は、構造的、論理的、電気的処理及び他の変更を含むものであってもよい。一部の実施例の部分及び特徴は、他の実施例に含まれてもよいし、あるいは置換されてもよい。請求項において提供される実施例は、これらの請求項の全ての利用可能な均等を網羅する。
【０００７】
図１は、一部の実施例による無線ネットワークを示す。無線ネットワークは、アクセスポイント（ＡＰ）１０２、複数のＨＥＷ装置１０４及び複数の従来の装置１０６を含むベーシックサービスセット（ＢＳＳ）１００を有してもよい。
【０００８】
ＡＰ１０２は、ＩＥＥＥ８０２．１１を用いて送受信するアクセスポイント（ＡＰ）であってもよい。ＡＰ１０２は基地局であってもよい。ＡＰ１０２は、後述されるような８０２．１１プロトコルと共に他の通信プロトコルを利用してもよい。８０２．１１プロトコルは８０２．１１ａｘであってもよい。８０２．１１プロトコルは、直交周波数分割多重接続（ＯＦＤＭＡ）を利用することを含むものであってもよい。８０２．１１は、ＭＵ−ＭＩＭＯ（Ｍｕｌｔｉ−Ｕｓｅｒ  Ｍｕｌｔｉｐｌｅ−Ｉｎｐｕｔ  ａｎｄ  Ｍｕｌｔｉｐｌｅ−Ｏｕｔｐｕｔ）、ＳＤＭ（Ｓｐａｃｅ  Ｄｉｖｉｓｉｏｎ  Ｍｕｌｔｉｐｌｅｘｉｎｇ）及び／又はＳＤＭＡ（Ｓｐａｃｅ  Ｄｉｖｉｓｉｏｎ  Ｍｕｌｔｉｐｌｅ  Ａｃｃｅｓｓ）を利用することを含むものであってもよい。ＨＥＷ装置１０４は、８０２．１１ａｘ及び／又はＤｅｎｓｉＦｉに従って動作してもよい。従来装置１０６は、８０２．１１ａ／ｇ／ｎ／ａｃ又は他の従来の無線通信規格に従って動作してもよい。
【０００９】
ＨＥＷ装置１０４は、携帯電話、携帯無線装置、無線眼鏡、無線時計、無線パーソナル装置、タブレット又は８０２．１１ａｘ又は他の無線プロトコルなどの８０２．１１プロトコルを用いて送受信可能な他の装置などの無線送受信装置であってもよい。
【００１０】
ＢＳＳ１００は、プライマリチャネルと１つ以上のセカンダリチャネル又はサブチャネルとにおいて動作しうる。ＢＳＳ１００は１つ以上のＡＰ１０２を有してもよい。実施例によると、ＡＰ１０２は、セカンダリチャネル又はサブチャネルの１つ以上又はプライマリチャネル上でＨＥＷ装置１０４の１つ以上と通信する。一例となる実施例では、ＡＰ１０２は、プライマリチャネル上で従来装置１０６と通信する。一例となる実施例では、ＡＰ１０２は、プライマリチャネルのみを利用し、セカンダリチャネルを利用しない従来装置１０６と、セカンダリチャネルの１つ以上においてＨＥＷ装置１０４の１つ以上と同時通信するよう構成されてもよい。
【００１１】
ＡＰ１０２は、従来のＩＥＥＥ８０２．１１通信技術に従って従来装置１０６と通信してもよい。一例となる実施例では、ＡＰ１０２はまた、従来のＩＥＥＥ８０２．１１通信技術に従ってＨＥＷ装置１０４と通信するよう構成されてもよい。従来のＩＥＥＥ８０２．１１通信技術は、ＩＥＥＥ８０２．１１ａｘ以前の何れかのＩＥＥＥ８０２．１１通信技術を表すものであってもよい。
【００１２】
一部の実施例では、ＨＥＷフレームは同じ帯域幅を有するよう設定可能であり、当該帯域幅は、２０ＭＨｚ、４０ＭＨｚ、８０ＭＨｚ又は１６０ＭＨｚの連続的な帯域幅又は８０＋８０ＭＨｚ（１６０ＭＨｚ）の非連続的な帯域幅の１つであってもよい。一部の実施例では、３２０ＭＨｚの連続的な帯域幅が利用されてもよい。一部の実施例では、１ＭＨｚ、１．２５ＭＨｚ、２．０３１２５ＭＨｚ、２．５ＭＨｚ、５ＭＨｚ及び１０ＭＨｚ又はこれらの組み合わせの帯域幅が利用されてもよい。これらの実施例では、ＨＥＷフレームは複数の空間ストリームを送信するよう構成されてもよい。
【００１３】
他の実施例では、ＡＰ１０２、ＨＥＷ装置１０４及び／又は従来装置１０６は、符号分割多重接続（ＣＤＭＡ）２０００、ＣＤＭＡ２０００  １Ｘ、ＣＤＭＡ２０００  ＥＶ−ＤＯ、Ｉｎｔｅｒｉｕｍ  Ｓｔａｎｄａｒｄ  ２０００（ＩＳ−２０００）、Ｉｎｔｅｒｉｕｍ  Ｓｔａｎｄａｒｄ  ９５（ＩＳ−９５）、Ｉｎｔｅｒｉｕｍ  Ｓｔａｎｄａｒｄ  ８５６（ＩＳ−８５６）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＬＴＥ（Ｌｏｎｇ  Ｔｅｒｍ  Ｅｖｏｌｕｔｉｏｎ）、３ＧＰＰ（３  Ｇｅｎｅｒａｔｉｏｎ  Ｐａｒｔｎｅｒｓｈｉｐ  Ｐｒｏｊｅｃｔ）からの規格、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＥＲＡＮ（ＧＳＭ  ＥＤＧＥ）、ＩＥＥＥ８０２．１６（すなわち、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＷｉＦｉ（登録商標）、Ｂｌｕｅｔｏｏｔｈ（登録商標）、ＢＬＥ（Ｂｌｕｅｔｏｏｔｈ（登録商標）  Ｌｏｗ  Ｅｎｅｒｇｙ）、８０２．１５．４、ＮＡＮ（Ｎｅｉｇｈｂｏｒ  Ａｗａｒｅ  Ｎｅｔｗｏｒｋｉｎｇ）プログラム、ＮＦＣ（Ｎｅａｒ−Ｆｉｅｌｄ  Ｃｏｍｍｕｎｉｃａｔｉｏｎ）及び／又はＷＰＡＮ（Ｗｉｒｅｌｅｓｓ  Ｐｅｒｓｏｎａｌ  Ａｒｅａ  Ｎｅｔｗｏｒｋ）無線技術などの更なる又は異なる技術を実現してもよい。
【００１４】
８０２．１１ａｘなどのＯＦＤＭＡシステムでは、関連するＨＥＷ装置１０４は、ＢＳＳ１００の何れかの２０ＭＨｚサブチャネル上で動作しうる（例えば、８０Ｍｈｚなどで動作可能である）。一例となる実施例では、ＡＰ１０２、ＨＥＷ装置１０４及び従来装置１０６は、ＣＳＭＡ／ＣＡ（Ｃａｒｒｉｅｒ  Ｓｅｎｓｅ  Ｍｕｔｉｐｌｅ  Ａｃｃｅｓｓ／Ｃｏｌｌｉｓｉｏｎ  Ａｖｏｉｄａｎｃｅ）を利用する。一部の実施例では、ＭＡＣ（Ｍｅｄｉａ  Ａｃｃｅｓｓ  Ｃｏｎｔｒｏｌ）レイヤ７０６は、無線媒体へのアクセスを制御する（図７を参照）。
【００１５】
一例となる実施例では、ＡＰ１０２、ＨＥＷ装置１０４及び従来装置１０６は、キャリアセンシングを実行し、チャネルがフリーであるか検出可能である。例えば、ＡＰ１０２、ＨＥＷ装置１０４又は従来装置１０６は、チャネルが受信のデジベル・ミリワット（ｄＢｍ）に基づきクリアであるか否かに関する判定を含みうるクリアチャネル評価（ＣＣＡ）を利用してもよい。一例となる実施例では、物理レイヤ（ＰＨＹ）７０４は、ＡＰ１０２、ＨＥＷ装置１０４及び従来装置１０６のＣＣＡを決定するよう構成される。
【００１６】
チャネルがフリーであると判定した後、ＡＰ１０２、ＨＥＷ装置１０４及び従来装置１０６は、衝突を回避するため、バックオフ期間中に当該チャネルにアクセスするための試みを保留する。一例となる実施例では、ＡＰ１０２、ＨＥＷ装置１０４及び従来装置１０６は、まず特定の期間待機し、その後、一部の実施例では、０と現在のコンテンションウィンドウ（ＣＳ）サイズとの間で一様に選択されるランダムなバックオフ時間を加えることによってバックオフ期間を決定する。期間はまたデュレーションとも呼ばれうる。
【００１７】
一例となる実施例では、ＡＰ１０２、ＨＥＷ装置１０４及び従来装置１０６は異なる方法によりチャネルにアクセスする。例えば、一部のＩＥＥＥ８０２．１１ａｘの実施例によると、ＡＰ１０２は、ＨＥＷ制御期間（すなわち、送信機会（ＴＸＯＰ））において媒体の排他的な制御を受信するよう無線媒体（例えば、コンテンション期間中など）を競うよう構成されうるマスタステーションとして動作してもよい。ＡＰ１０２は、ＨＥＷ制御期間の始めにＨＥＷマスタ同期送信を送信してもよい。ＨＥＷ制御期間中、ＨＥＷ装置１０４は、非コンテンションベースのマルチアクセス技術に従ってＡＰ１０２と通信してもよい。これは、従来装置１０６及び任意的にＨＥＷ装置１０４が非コンテンション複数アクセス技術でなくコンテンションベース通信技術に従って通信する従来のＷｉ−Ｆｉ通信と異なる。ＨＥＷ制御期間中、ＡＰ１０２は、１つ以上のＨＥＷフレームを用いてＨＥＷ装置１０４と通信しうる。ＨＥＷ制御期間中、従来装置１０６は通信することを控える。一部の実施例では、マスタ同期送信はＨＥＷ制御スケジューリング送信として参照されうる。
【００１８】
一部の実施例では、ＨＥＷ制御期間中に用いられるマルチアクセス技術は、必須ではないが、スケジューリングされたＯＦＤＭＡ技術である。一部の実施例では、マルチアクセス技術は、時分割多重接続（ＴＤＭＡ）技術又は周波数分割多重接続（ＦＤＭＡ）技術であってもよい。一部の実施例では、マルチアクセス技術は、ＳＤＭＡ技術又はアップリンクＭＵ−ＭＩＭＯ（ＵＬ  ＭＵ−ＭＩＭＯ）であってもよい。
【００１９】
ＡＰ１０２はまた、従来のＩＥＥＥ８０２．１１通信技術に従って従来装置１０６と通信しうる。一部の実施例では、ＡＰ１０２であってもよいマスタステーションはまた、必須ではないが、従来のＩＥＥＥ８０２．１１通信技術に従ってＨＥＷ制御期間外にＨＥＷステーションと通信するよう構成されてもよい。
【００２０】
一例となる実施例では、ＡＰ１０２及び／又はＨＥＷ装置は、ロングプリアンブルフォーマット２００又はショートプリアンブルフォーマット３００の何れかによってＨＥパケットを構成、送信、受信及び解釈するなど、図２〜６に関してここに説明された機能及び／又は方法の１つ以上を実行するよう構成される。
【００２１】
図２は、一部の実施例によるショートプリアンブルフォーマット２００を示す。ショートプリアンブルフォーマット２００は、レガシーショートトレーニングフィールド（Ｌ−ＳＴＦ）２０２、レガシーロングトレーニングフィールド（Ｌ−ＬＴＦ）２０４、レガシー信号フィールド（Ｌ−ＳＩＧ）２０６、ＨＥ信号−Ａフィールド（ＨＥ−ＳＩＧ−Ａ）２０８、ＨＥ−ＳＩＧ−Ｂフィールド２１９及びＨＥロングトレーニングフィールド（ＨＥ−ＬＴＦ）２１２を有してもよい。
【００２２】
Ｌ−ＳＴＦフィールド２０２は、８０２．１１ａなど従来装置１０６により利用されるレガシーＳＴＦと同一又は類似するものであってもよい。Ｌ−ＳＴＦフィールド２０２は、８０２．１１フレームがスタートしようとしていると判断するため、ＨＥＷ装置１０４及び従来装置１０６により利用されうるシンボルを有してもよい。Ｌ−ＳＴＦフィールド２０２は８マイクロ秒（８μ）継続しうる。Ｌ−ＬＴＦフィールド２０４は、８０２．１１ａにおいて利用されるものなど、レガシーＬ−ＬＴＦフィールド２０４と同一又は類似するものであってもよい。
【００２３】
Ｌ−ＳＩＧフィールド２０６は、８０２．１１ａ／ｇ／ｎ／ａｃなどの従来装置１０６において用いられる対応するフィールドと同じである長さフィールド及びデュレーションフィールドを有してもよい。Ｌ−ＳＩＧフィールド２０６は、Ｒ＝１／２によるＢＰＳＫ（Ｂｉｎａｒｙ  Ｐｈａｓｅ  Ｓｈｉｆｔ  Ｋｅｙｉｎｇ）を用いて送信されてもよい。一例となる実施例では、ショートプリアンブルフォーマット２００は、複数のＬ−ＳＩＧフィールド２０６を有してもよい。一例となる実施例では、Ｌ−ＳＩＧフィールド２０６は、プリアンブルがショートプリアンブルフォーマット２００又はロングプリアンブルフォーマット３００であるか通知するのに利用されうる。例えば、Ｌ−ＳＩＧフィールド２０６の長さフィールドは、プリアンブルがショートプリアンブルフォーマット２００又はロングプリアンブルフォーマット３００であるか示してもよい。例えば、１モジュロー３の長さを有する長さフィールドはショートプリアンブルフォーマット２００を示し、２モジュロー３の長さはロングプリアンブルフォーマット３００を示すものであってもよい。一例となる実施例では、ＨＥＷ装置１０４は、プリアンブルがロングプリアンブル３００又はショートプリアンブル２００であるか示すため、Ｌ−ＳＩＧフィールド２０６の後にシンボルを有するようＨＥパケットを構成してもよい。例えば、Ｌ−ＳＩＧフィールド２０６の後のシンボルは、プリアンブルのタイプを示すローテーション（ｒｏｔａｔｉｏｎ）を有してもよい。
【００２４】
ＨＥ−ＳＩＧ−Ａフィールド２０８は、各シンボルが４μｓのデュレーションを有するＫ１個のシンボル長であってもよい。Ｋ１は１以上であってもよい。ＨＥ−ＳＩＧ−Ｂフィールド２１０は、各シンボルが４μｓのデュレーションを有するＫ２シンボル長であってもよい。Ｋ２は１以上であってもよい。ＨＥ−ＬＴＦフィールド２１２は、ＨＥロングトレーニングフィールドであってもよい。ＨＥ−ＬＴＦフィールド２１２は、あっ服されたＨＥ−ＬＴＦフィールド２１２であってもよい。一例となる実施例では、ＨＥ−ＬＴＦフィールド２１２は２以上のファクタによって圧縮されてもよい。一例となる実施例では、ＨＥ−ＬＴＦフィールド２１２は４ｘファクタによって圧縮されてもよい。ＨＥ−ＬＴＦフィールド２１２はオーバヘッドを低減するため圧縮されてもよい。
【００２５】
一例となる実施例では、ＨＥ−ＬＴＦフィールド２１２は、特定のサブキャリアのみで（例えば、４ｘシンボルなど）ＨＥ−ＬＴＦフィールド２１２を送信することによって圧縮されてもよい。例えば、４ｘ圧縮には４つのサブキャリアのグループから１つのみのサブキャリアにおいて、あるいは、２ｘ圧縮には２つのサブキャリアのグループから１つのみのサブキャリアにおいてなどである。ＨＥ−ＬＴＦフィールド２１２においてヌルとされるサブキャリアのチャネル推定は、圧縮されるＨＥ−ＬＴＦフィールド２１２を受信するＨＥＷ装置１０４において補間を介して取得可能である。圧縮されたＨＥ−ＬＴＦフィールド２１２を受信するＨＥＷ装置１０４は、屋内チャネルの周波数選択性が限定されているため、無視できるパフォーマンス差のみによってチャネル推定の補間を実行可能である。
【００２６】
一例となる実施例では、ショートプリアンブルフォーマット２００が屋内利用のため設計されうる。一例となる実施例では、ＨＥＷ装置１０４は、ＡＰ１０２からＨＥＷ装置１０４へのダウンリンク送信においてショートプリアンブルフォーマット２００を利用し、ＨＥＷ装置１０４からＡＰ１０２へのアップリンク送信ではショートプリアンブルフォーマット２００を利用しないよう構成されてもよい。
【００２７】
一例となる実施例では、ＨＥ−ＳＩＧの１つ以上（例えば、ＨＥ−ＳＩＧ−Ａ２０８又はＨＥ−ＳＩＧ−Ｂ２１０など）が、８０２．１１ａ／ｇ／ｎ／ａｃなどの従来装置１０６において利用されるものより長いＧＩ又は小さいサブキャリア間隔によって送信されうる。例えば、サブキャリア間隔は、従来装置１０６により利用されるものの１／４であってもよい。
【００２８】
レガシープリアンブル２５０は、Ｌ−ＳＴＦ２０２、Ｌ−ＬＴＦ２０４及びＬ−ＳＩＧ２０６を有し、８０２．１１ａ／ｇに従って動作する従来装置１０６により用いられるレガシープリアンブルと同じであってもよい。一例となる実施例では、ショートプリアンブルフォーマット２００は屋内利用用に設計されてもよい。一例となる実施例では、ショートプリアンブルフォーマット２００は屋内利用と屋外利用との双方のために利用されてもよい。
【００２９】
図３は、一部の実施例によるロングプリアンブルフォーマット３００を示す。ロングプリアンブルフォーマット３００は、Ｌ−ＳＴＦ３０２、Ｌ−ＬＴＦ３０４、１つ以上のＬ−ＳＩＧ３０６，３０８、１つ以上のＨＥ−ＳＩＧ３１０、３１２、３１４及びＨＥ−ＬＴＦ３１６を有してもよい。Ｌ−ＳＴＦ３０２は、Ｌ−ＳＴＦ２０２と同一又は類似してもよい。Ｌ−ＬＴＦ３０４は、Ｌ−ＬＴＦ２０４と同一又は類似してもよい。Ｌ−ＳＩＧ３０６は、Ｌ−ＳＩＧ２０６と同一又は類似してもよい。一部の実施例では、Ｌ−ＳＩＧ３０６は、１回以上複製される。例えば、Ｌ−ＳＩＧ３０８は、Ｌ−ＳＩＧ３０６が複製される具体例である。Ｌ−ＳＩＧ３０８は、ＨＥ−ＳＩＧ−Ａ３１０がＨＥ−ＳＩＧ−Ａ２０８と同一又は類似しているか示すものであってもよい。一例となる実施例では、Ｌ−ＳＩＧフィールド２０６は、プリアンブルがショートプリアンブルフォーマット２００又はロングプリアンブルフォーマット３００であるか示すのに利用されてもよい。
【００３０】
一部の実施例では、ＨＥ−ＳＩＧ−Ａ３１０は、１回以上複製されてもよい。例えば、ＨＥ−ＳＩＧ−Ａ３１２は、ＨＥ−ＳＩＧ−Ａ３１０の複製であってもよい。ＨＥ−ＳＩＧ−Ａ３１０は、送信するのにＫ１×４μｓかかる可能性があり、ここで、Ｋ１はＨＥ−ＳＩＧ−Ａ３１０におけるシンボル数である。ＨＥ−ＳＩＧ−Ａ３１０は１つ以上のシンボルであってもよい。一例となる実施例では、ＨＥ−ＳＩＧ−Ａ３１０は、２つのシンボルＨＥ−ＳＩＧ−Ａ１及びＨＥ−ＳＩＧ−Ａ２であってもよい。一例となる実施例では、ＨＥ−ＳＩＧ−Ａ１は繰り返されてもよい。一例となる実施例では、ＨＥ−ＳＩＧ−Ａ１及びＨＥ−ＳＩＧ−Ａ２の双方は、時間又は周波数において１回又は２回繰り返されてもよい。ＨＥ−ＳＩＧ−Ａのデュレーションは、ＨＥ−ＳＩＧ−Ａ３１０が２回繰り返されるＫ１個のシンボルである場合、２×Ｋ１×４μｓでありうる。
【００３１】
ＨＥ−ＳＩＧ−Ｂフィールド３１４は、ＨＥ−ＳＩＧ−Ｂフィールド２１０と同一又は類似してもよい。ＨＥ−ＳＩＧ−Ａ３１０及び／又はＨＥ−ＳＩＧ−Ｂフィールド３１４は、より長いガードインターバル（ＧＩ）により送信されてもよい。ＨＥ−ＳＩＧ−Ｂフィールド３１４は、１．６μｓのより長いＧＩによって送信するのにＫ２×４．８μｓかかる可能性があり、Ｋ２はＨＥ−ＳＩＧ−Ｂフィールド３１４におけるシンボル数である。ＨＥ−ＳＩＧ−Ｂフィールド３１４におけるシンボルの１つ以上は、時間又は周波数において１回又は２回繰り返されてもよい。１つのＨＥ−ＳＩＧ−Ｂフィールド３１４は、１つのシンボルを送信するために３．２μｓにより送信し、ＨＥ−ＳＩＧ−Ｂフィールド２１０より長いＧＩについて１．６μｓにより送信するのに４．８μｓかかる可能性がある。ＨＥ−ＬＴＦフィールド３１６は、ＨＥ−ＬＴＦフィールド２１２と同一又は類似してもよい。一例となる実施例では、ＨＥ−ＬＴＦフィールド３１６は、ショートプリアンブルフォーマット２００のＨＥ−ＬＴＦ２１２未満に圧縮されうる。例えば、ＨＥ−ＬＴＦ２１２が４ｘに圧縮される場合、ＨＥ−ＬＴＦフィールド３１６は圧縮されないか、又は２ｘに圧縮されてもよい。
【００３２】
一例となる実施例では、ロングプリアンブルフォーマット３００は、屋外利用用に設計されてもよい。一例となる実施例では、ＨＥ−ＳＩＧ（例えば、ＨＥ−ＳＩＧ−Ａ３１０、ＨＥ−ＳＩＧ−Ａ３１２及び／又はＨＥ−ＳＩＧ−Ｂ３１４など）の１つ以上が、８０２．１１ａ／ｇ／ｎ／ａｃなどの従来装置１０６において利用されるよりも長いＧＩ又は小さいサブキャリア間隔によって送信されてもよい。例えば、サブキャリア間隔は従来装置１０６により使用されるものの１／４であってもよい。一部の実施例は屋内シナリオにおいてロングプリアンブルフォーマットを利用してもよい。
【００３３】
一部の実施例では、ＡＰ１０２及び／又はＨＥＷ装置１０４は、屋内でショートプリアンブルフォーマット２００を利用するよう構成されてもよい。例えば、ホームルータはショートプリアンブル２００のみを使用するよう構成されてもよい。
【００３４】
一部の実施例では、ショートプリアンブルフォーマット２００はロングプリアンブルフォーマット３００より短いデュレーションを有する。ＨＥＷ装置１０４は、ＨＥＷ装置１０４が屋内又は屋外にいるか信号受信に基づき判断するよう構成されてもよい。ＨＥＷ装置１０４は、屋内ではショートプリアンブルフォーマット２００を利用し、屋外ではロングプリアンブルフォーマット３００を利用することによって適応化してもよい。
【００３５】
一部の実施例では、ＨＥＷ装置１０４は、ＡＰ１０２からＨＥＷ装置１０４へのダウンリンク送信ではロングプリアンブルフォーマット３００を使用し、ＨＥＷ装置１０４からＡＰ１０２へのアップリンク送信ではロングプリアンブルフォーマット３００を使用しないよう構成されてもよい。一例となる実施例では、ロングプリアンブルフォーマット３００を受信するＨＥＷ装置１０４は、パフォーマンスの向上のために繰り返されるシンボルＨＥ−ＳＩＧ−Ａ３１０及びＨＥ−ＳＩＧ−Ａ３１２を合成してもよい。
【００３６】
図４は、一部の実施例によるレガシー信号フィールド（Ｌ−ＳＩＧ）４００を示す。Ｌ−ＳＩＧフィールド４００は、レートフィールド４０２、リザーブドフィールド４０４、長さフィールド４０６、パリティフィールド４０８及び信号テールフィールド４１０を有してもよい。レートフィールド４０２は、４ビットであり、毎秒数百万ビットのレートを示すレートであってもよい。リザーブドフィールド４０４は、リザーブドビットであってもよい。長さフィールド４０６は、１２ビットであり、埋め込まれたＭＡＣフレームに複数バイト又はＯＦＤＭシンボルを符号化してもよい。
【００３７】
長さフィールド４０６は、ロングプリアンブルフォーマット又はショートプリアンブルフォーマットがＨＥパケットにおいて使用されるか示すため、図２及び３に関して開示されるように利用されてもよい。例えば、Ｌ−ＳＩＧフィールド２０６又はＬ−ＳＩＧ３０６の長さフィールド４０６は、プリアンブルがショートプリアンブルフォーマット２００又はロングプリアンブルフォーマット３００であるか示すものであってもよい。例えば、１モジュロー３の長さを有する長さフィールド４０６はショートプリアンブルフォーマット２００を示し、２モジュロー３の長さはロングプリアンブルフォーマット３００を示してもよい。
【００３８】
一例となる実施例では、Ｌ−ＳＩＧフィールドは、ショートプリアンブルフォーマット２００又はロングプリアンブルフォーマット３００が使用されているか示すため繰り返されてもよい。例えば、繰り返されるＬ−ＳＩＧフィールドのポラリティは、プリアンブルがショートプリアンブルフォーマット２００又はロングプリアンブルフォーマット３００であるか示すものであってもよい。他の実施例は、Ｌ−ＳＩＧの後に他の特定のシンボルを挿入してもよく、ショートプリアンブルフォーマットとロングプリアンブルフォーマットを示すため、正確な繰り返しである必要はない。
【００３９】
パリティフィールド４０８は、最初の１６ビットが損傷している場合、通知を提供するための最初の１６信号ビットのためのパリティビットであってもよい。信号テール４１０は畳み込み符号を戻すための６つの０ビットであってもよい。
【００４０】
Ｌ−ＳＩＧ６０６のレートフィールド４０２は、固定された既知の値として設定されてもよく、Ｌ−ＳＩＧ４００の長さフィールド４０６は、ＨＥＷ装置１０４の送信を超えて従来装置１０６を保留する長さに設定されてもよい。
【００４１】
図５は、一部の実施例によるショートプリアンブルフォーマット又はロングプリアンブルフォーマットの何れかによってＨＥパケットを構成する方法５００を示す。方法５００は、ショートプリアンブルフォーマット又はロングプリアンブルフォーマットによってＨＥパケットを構成することによって処理５０２において開始される。例えば、ＨＥＷ装置１０４及び／又はＡＰ１０２は、無線媒体の特性に基づき、ショートプリアンブルフォーマット２００又はロングプリアンブルフォーマット３００を使用するか判断してもよい。例えば、多数のエラーは、ロングプリアンブルフォーマット３００が使用されるべきであることを示しうる。方法５００は、プリアンブルコンフィギュレーションを示すためのＬ−ＳＩＧフィールドを設定することによって処理５０４に続く。例えば、ＨＥＷ装置１０４は、１つ以上のＬ−ＳＩＧフィールドの長さに基づきプリアンブルフォーマットを示してもよい。例えば、１モジュロー３であるＬ−ＳＩＧフィールドの長さフィールドはショートプリアンブルフォーマット２００を示し、２モジュロー３であるＬ−ＳＩＧフィールドの長さフィールドはロングプリアンブルフォーマット３００を示してもよい。ＨＥＷ装置１０４は、ここに説明される以外の方法でプリアンブルのフォーマットを示してもよい。方法５００は、ＨＥＷ装置１０４が構成されたＨＥパケットを他のＨＥＷ装置に送信することによって終了しうる。
【００４２】
図６は、一部の実施例によるＨＥパケットを解釈する方法６００を示す。方法６００は、Ｌ−ＳＩＧフィールドを受信することによって処理６０２において開始される。例えば、ＨＥＷ装置１０４は、ショートプリアンブルフォーマット２００又はロングプリアンブルフォーマット３００によってＨＥパケットを受信してもよい。
【００４３】
方法６００は、Ｌ−ＳＩＧがＨＥパケットを示すか判断することによる処理６０４に続く。従来装置１０６及びＨＥＷ装置１０４は同じＷＬＡＮに一緒にある。ＨＥＷ装置１０４は、ＨＥパケットを認識する方法と、パケットがＨＥパケットである場合、保留するよう従来装置１０６に通知する方法とを必要とする。ＨＥＷ装置１０４は、Ｌ−ＳＩＧに基づきパケットがＨＥパケットであるか判断することが可能であってもよい。例えば、長さフィールド４０６は、長さフィールド４０６が０モジュロー３に等しくない場合、パケットがＨＥパケットであることを示してもよい。さらに、複数のＬ−ＳＩＧフィールドがあってもよく、他のＬ−ＳＩＧフィールドのローテーションは、パケットがＨＥパケットであることを示してもよい。上述されたものなどの他の方法が、プリアンブルがロングプリアンブルフォーマット３００又はショートプリアンブルフォーマット２００であるか判断することを可能にする。一例となる実施例では、自動検出という用語は、ＨＥＷ装置１０４が、受信したパケットに基づきロングプリアンブル３００又はショートプリアンブル２００があるか判断することを意味するのに利用されてもよい。
【００４４】
ＨＥＷ装置１０４が、パケットがＨＥパケットでないことを１つ以上のＬ−ＳＩＧから判断可能である場合、ＨＥＷ装置１０４は、Ｌ−ＳＩＧ４００の長さフィールド４０６及びレートフィールド４０２に基づきデュレーションを延ばしてもよいし、あるいは、ＨＥＷ装置１０４は、８０２．１１ａ／ｇ／ｎ／ａｃなどの従来規格に従ってパケットを解釈してもよい。
【００４５】
６０４に戻って、パケットがＨＥパケットであるか、又はである可能性があることをＬ−ＳＩＧが示す場合、方法６００は、プリアンブルフォーマットを決定することによる処理６０８に続く。例えば、Ｌ−ＳＩＧ４００の長さフィールド４０６は、モジュロー３に基づきプリアンブルコンフィギュレーションを示してもよい。他の例では、繰り返されるＬ−ＳＩＧ４００のポラリティがプリアンブルコンフィギュレーションを示してもよい。他の例では、Ｌ−ＳＩＧ４００の繰り返しがプリアンブルコンフィギュレーションを示してもよい。例えば、３つのＬ−ＳＩＧ４００が、プリアンブルがロングプリアンブルフォーマット３００であることを示し、２つのＬ−ＳＩＧ４００が、プリアンブルがショートプリアンブルフォーマット２００であることを示してもよい。
【００４６】
方法６００は、プリアンブルフォーマットに基づき受信したパケットを解釈することによる処理６１０に続く。例えば、ＨＥＷ装置１０４は、プリアンブルフォーマットがロングプリアンブルフォーマット４００であると判断し、より長いＧＩのためＨＥ−ＳＩＧ−Ｂ３１４を解釈してもよい。これは、受信したパケットを解釈するために何れのプリアンブルフォーマットを知るためのＨＥＷ装置１０４の効率性を向上させうる。一例となる実施例では、ＨＥＷ装置１０４は、１つ以上のＬ−ＳＩＧを受信した後、パケットがＨＥパケットでないと判断してもよい。例えば、Ｌ−ＳＩＧの後の次のシンボルの極性は、パケットが８０２．１１ａ／ｇ／ｎ／ａｃパケットなどのレガシーパケットであることを示してもよい。
【００４７】
一例となる実施例は、２つのプリアンブルフォーマットを規定することによって、無線媒体がより効率的に利用されうるという技術的効果を有する。一例となる実施例では、ショートプリアンブル２００は、より小さなオーバヘッドを有し、屋内で利用されうるが、一部の環境では信頼性が低いものとなりうる。一例となる実施例では、ロングプリアンブル３００は、屋外で利用され、より大きなオーバヘッドを有するが、一部の環境ではより信頼性が高いものとなりうる。ショートプリアンブル２００は、ＬＴＦのより短いデュレーション及び／又はＳＩＧの非繰り返しを有してもよい。屋外は、より長いデュレーションＬＴＦ及び１つ以上のＳＩＧシンボルの繰り返しを有してもよい。
【００４８】
図７は、一部の実施例によるＨＥＷ装置を示す。ＨＥＷ装置１２００は、ＨＥＷ装置１０４（図１）又はＡＰ１０２（図１）などの１つ以上の他のＨＥＷ装置と通信すると共に、従来装置１０６（図１）と通信するよう構成されるＨＥＷ準拠装置であってもよい。ＨＥＷ装置１０４及び従来装置１０６はまたそれぞれ、ＨＥＷ  ＳＴＡ及びレガシーＳＴＡとして参照されてもよい。ＨＥＷ装置６００は、ＡＰ１０２（図１）又はＨＥＷ装置１０４（図１）として動作するのに適したものであってもよい。実施例によると、ＨＥＷ装置７００は、特に送受信要素（例えば、アンテナ）７０１、送受信機７０２、ＰＨＹ回路７０４及びＭＡＣ回路７０６を有してもよい。ＰＨＹ７０４及びＭＡＣ７０６はＨＥＷに準拠したレイヤであり、１つ以上の従来のＩＥＥＥ８０２．１１規格に準拠してもよい。ＭＡＣ７０６は、ＰＬＣＰ（ＰＨＹ  Ｌａｙｅｒ  Ｃｏｎｖｅｒｇｅｎｃｅ  Ｐｒｏｃｅｄｕｒｅ）  ＰＰＤＵ（Ｐｒｏｔｏｃｏｌ  Ｄａｔａ  Ｕｎｉｔ）を構成し、特にＰＰＤＵを送受信するよう構成されてもよい。ＨＥＷ装置７００はまた他のハードウェア処理回路７０８を有してもよく、メモリ７１０はここに説明された各種処理を実行するよう構成されてもよい。処理回路７０８は、送受信要素７０１に結合されうる送受信機７０２に結合されてもよい。図７は処理回路７０８及び送受信機７０２を別々のコンポーネントとして示しているが、処理回路７０８及び送受信機７０２は、電子パッケージ又はチップに一緒に統合されてもよい。
【００４９】
一例となる実施例では、ＨＥＷ装置１０４は、図２〜１０に関連して説明された方法、装置及び機能など、ここに説明される機能及び／又は方法の１つ以上を実行し、特にＨＥ−ＳＩＧを検出するよう構成される。ＰＨＹ７０４は、変調／復調、アップ変換／ダウン変換、フィルタリング、増幅などのための回路を有してもよい。一部の実施例では、ハードウェア処理回路７０８は、ＲＡＭ又はＲＯＭに記憶される命令に基づき、又は特定用途回路に基づき機能を実行するよう構成されてもよい。一部の実施例では、回路７０８は、ロングプリアンブルフォーマット３００又はショートプリアンブルフォーマット２００の何れかによってＨＥパケットを構成、送信、受信及び解釈するためここに説明された機能の１つ以上を実行するよう構成されてもよい。
【００５０】
一部の実施例では、２つ以上のアンテナがＰＨＹ７０４に結合され、ＨＥＷパケットの送信を含む信号を送受信するよう構成されてもよい。ＨＥＷ装置７００は、ＨＥＷ  ＰＰＤＵ及びＨＥＷ装置７００がパケットに含まれた設定に従ってチャネルコンテンション設定を適応化すべきであるという通知を含むパケットなどのデータを送受信するための送受信機７０２を有してもよい。メモリ７１０は、ＢＡＲ及びＢＡパケットを構成及び送信し、ＢＡＲ及びＢＡを送信及び応答することを含む、ここに説明される各種処理を実行するための処理を実行するための他の回路を設定するための情報を記憶してもよい。
【００５１】
一部の実施例では、ＨＥＷ装置７００は、マルチキャリア通信チャネルを介しＯＦＤＭ通信信号を用いて通信するよう構成されてもよい。一部の実施例では、一例となる実施例の範囲が他の技術及び規格に従って通信を送信及び／又は受信するのに適切であるとき、これに限定されないが、ＨＥＷ装置７００は、ＩＥＥＥ８０２．１１−２０１２、８０２．１１ｎ−２００９、８０２．１１ａｃ−２０１３、８０２．１１ａｘを含むＩＥＥＥ規格、ＷＬＡＮのための規格及び／又は提案された仕様書などの１つ以上の特定の通信規格に従って通信するよう構成されてもよい。一部の実施例では、ＨＥＷ装置７００は、８０２．１１ｎ又は８０２．１１ａｃの４ｘシンボルデュレーションを利用してもよい。
【００５２】
一部の実施例では、ＨＥＷ装置７００は、ＰＤＡ（Ｐｅｒｓｏｎａｌ  Ｄｉｇｉｔａｌ  Ａｓｓｉｓｔａｎｔ）、無線通信機能を備えたラップトップ若しくはポータブルコンピュータ、ウェブタブレット、無線電話、スマートフォン、無線ヘッドセット、ページャ、インスタントメッセージング装置、デジタルカメラ、アクセスポイント、テレビ、医療装置（例えば、心拍モニタ、血圧モニタなど）、ＡＰ、基地局、８０２．１１又は８０２．１６などの無線規格のための送受信装置、又は情報を無線により送信及び／又は受信する他の装置などのポータブル無線通信装置の一部であってもよい。一部の実施例では、モバイル装置は、キーボード、ディスプレイ、不揮発性メモリポート、複数のアンテナ、グラフィクスプロセッサ、アプリケーションプロセッサ、スピーカ及び他のモバイル装置の要素の１つ以上を有してもよい。ディスプレイは、タッチ画面を含む液晶ディスプレイ（ＬＣＤ）画面であってもよい。
【００５３】
送受信要素７０１は、例えば、ダイポールアンテナ、モノポールアンテナ、パッチアンテナ、ラップトップアンテナ、マイクロストリップアンテナ又は無線周波数（ＲＦ）信号の送信に適した他のタイプのアンテナなどを含む１つ以上の指向性又は全方向性アンテナを有してもよい。一部のＭＩＭＯの実施例では、アンテナは、空間ダイバーシチと結果として得られる異なるチャネル特性との効果を得られるように有効に離間されてもよい。
【００５４】
装置７００は、複数の別々の機能要素を有するとして示されているが、機能要素の１つ以上は組み合わせ可能であり、デジタル信号プロセッサ（ＤＳＰ）及び／又は他のハードウェア要素を含む処理要素などのソフトウェアによって構成される要素の組み合わせによって実現されてもよい。例えば、一部の要素は、１つ以上のマイクロプロセッサ、ＤＳＰ、ＦＰＧＡ（Ｆｉｅｌｄ−Ｐｒｏｇｒａｍｍａｂｌｅ  Ｇａｔｅ  Ａｒｒａｙ）、特定用途向け集積回路（ＡＳＩＣ）、無線周波数集積回路（ＲＦＩＣ）及びここに説明される機能を少なくとも実行する各種ハードウェア及び論理回路の組み合わせを有してもよい。一部の実施例では、機能要素は、１つ以上の処理要素上で実行される１つ以上のプロセスを表すものであってもよい。
【００５５】
以下の具体例は更なる実施例に関する。具体例１は、回路を有するＨＥ（Ｈｉｇｈ−Ｅｆｆｉｃｉｅｎｃｙ）ステーションである。当該回路は、ショートプリアンブルフォーマット又はロングプリアンブルフォーマットによりＨＥパケットを生成し、ここで、ＨＥパケットは１つ以上のレガシー信号（Ｌ−ＳＩＧ）フィールドと、その後の１つ以上のＨＥ信号フィールド（ＨＥ−ＳＩＧ）及びＨＥロングトレーニングフィールド（ＨＥ−ＬＴＦ）とを有し、ＨＥパケットがショートプリアンブルフォーマット又はロングプリアンブルフォーマットにより構成されるか示すようＨＥパケットにおける表示を構成するよう構成されてもよい。
【００５６】
具体例２では、具体例１の主題は、任意的には、１つ以上のレガシー信号フィールド（Ｌ−ＳＩＧ）は、ＨＥパケットがショートプリアンブルフォーマット又はロングプリアンブルフォーマットにより構成されているか示すことを含みうる。
【００５７】
具体例３では、具体例１の主題は、任意的には、１つ以上のＬ−ＳＩＧの後のシンボルは、ＨＥパケットがショートプリアンブルフォーマット又はロングプリアンブルフォーマットにより構成されているか示すことを含みうる。
【００５８】
具体例４では、具体例１〜３の何れかの主題は、任意的には、回路は更に、送信機会（ＴＸＯＰ）において直交周波数分割多重接続（ＯＦＤＭＡ）技術に従って通信用の生成されたプリアンブルフォーマットに従って、第２のＨＥステーションにダウンリンク送信において前記ＨＥパケットを送信するよう構成されることを含みうる。
【００５９】
具体例５では、具体例１〜４の何れかの主題は、任意的には、ショートプリアンブルフォーマットについて、回路は、より短い遅延拡散チャネルのためフィールドを構成し、ロングプリアンブルフォーマットについて、回路は、より長い遅延拡散チャネルのためフィールドを構成することを含みうる。
【００６０】
具体例６では、具体例１及び５の主題は、任意的には、１つ以上のＬ−ＳＩＧの１つの長さフィールドのモジュロー３は、ＨＥパケットがショートプリアンブルフォーマット又はロングプリアンブルフォーマットにより構成されているか示すことを含みうる。
【００６１】
具体例７では、具体例６の主題は、任意的には、長さフィールドモジュロー３＝１と長さフィールドモジュロー３＝２とはそれぞれ、以下の群、ショートプリアンブルフォーマットとロングプリアンブルフォーマットとの異なるものを示すことを含みうる。
【００６２】
具体例８では、具体例１〜７の何れかの主題は、任意的には、ショートプリアンブルフォーマットについて、回路は、４ｘまでの圧縮ファクタに従ってＨＥ−ＬＴＦを圧縮し、ロングプリアンブルフォーマットについて、回路は、Ｌ−ＳＩＧとＨＥ−ＳＩＧとの少なくとも１つが時間領域において繰り返されるようにパケットを構成することを含みうる。
【００６３】
具体例９では、具体例１〜８の何れかの主題は、任意的には、回路は更に、通信エラーの数が閾値に達した場合、ロングプリアンブルフォーマットに従ってＨＥパケットを生成するよう構成されることを含みうる。
【００６４】
具体例１０では、具体例１〜９の何れかの主題は、任意的には、回路は更に、屋内利用のためにショートプリアンブルフォーマットに従ってＨＥパケットを生成し、屋外利用のためにより長いプリアンブルフォーマットに従ってＨＥパケットを生成するよう構成されることを含みうる。
【００６５】
具体例１１では、具体例１の主題は、任意的には、ＨＥ−ＳＩＧは、ＨＥ−ＳＩＧ−Ａ、ＨＥ−ＳＩＧ−Ｂ１及びＨＥ−ＳＩＧ−Ｂ２を有し、ロングプリアンブルフォーマットについて、回路は、ＨＥ−ＳＩＧ−Ａが時間領域において繰り返され、ＨＥ−ＳＩＧ−Ｂ１がショートプリアンブルフォーマットのためのＨＥ−ＳＩＧ−Ｂ１より長いガードインターバルにより構成されるようにパケットを構成することを含みうる。
【００６６】
具体例１２では、具体例１の主題は、任意的には、ロングプリアンブルフォーマットについて、ＨＥ−ＳＩＧ−Ａは、ＳＩＧ−Ａ−Ａ１及びＳＩＧ−Ａ−Ａ２を有し、ＳＩＧ−Ａ−Ａ１及びＳＩＧ−Ａ−Ａ２の一方又は双方が繰り返されることを含みうる。
【００６７】
具体例１３では、具体例１の主題は、任意的には、以下の群、Ｌ−ＳＩＧフィールドの１つ以上が繰り返されるか、Ｌ−ＳＩＧフィールドの後のシンボル、繰り返されるＬ−ＳＩＧのＬ−ＳＩＧポラリティ又は１つ以上のＬ−ＳＩＧフィールドの１つの長さフィールドからの１つは、ＨＥパケットがショートプリアンブルフォーマット又はロングプリアンブルフォーマットにより構成されているか示すことを含みうる。
【００６８】
具体例１４では、具体例１〜１３の何れかの主題は、任意的には、ロングプリアンブルフォーマットについて、ＨＥ−ＬＴＦは、ショートプリアンブルフォーマットについてＨＥ−ＬＴＦを圧縮するのに利用される圧縮ファクタ未満である圧縮ファクタに従って圧縮されるか、又は圧縮されないかの何れかであることを含みうる。
【００６９】
具体例１５では、具体例１〜１４の何れかの主題は、任意的には、回路、回路に結合されるメモリ及び回路に結合される１つ以上のアンテナを更に有することが可能である。
【００７０】
具体例１６は、ＨＥ（Ｈｉｇｈ−Ｅｆｆｉｃｉｅｎｃｙ）ステーションによって実行される通信のための方法である。当該方法は、ショートプリアンブルフォーマット又はロングプリアンブルフォーマットによりＨＥパケットを生成するステップであって、ＨＥパケットは１つ以上のレガシー信号（Ｌ−ＳＩＧ）フィールドと、その後の１つ以上のＨＥ信号フィールド（ＨＥ−ＳＩＧ）及びＨＥロングトレーニングフィールド（ＨＥ−ＬＴＦ）とを有する、生成するステップと、ＨＥパケットがショートプリアンブルフォーマット又はロングプリアンブルフォーマットにより構成されるか示すようＨＥパケットを構成するステップとを有してもよい。
【００７１】
具体例１７では、具体例１６の主題は、任意的には、１つ以上のレガシー信号フィールド（Ｌ−ＳＩＧ）は、ＨＥパケットがショートプリアンブルフォーマット又はロングプリアンブルフォーマットにより構成されているか示すことを含みうる。
【００７２】
具体例１８では、具体例１６の主題は、任意的には、長さフィールドモジュロー３＝１と長さフィールドモジュロー３＝２とはそれぞれ、以下の群、ショートプリアンブルフォーマットとロングプリアンブルフォーマットとの異なるものを示すことを含みうる。
【００７３】
具体例１９では、具体例１６の主題は、任意的には、以下の群、Ｌ−ＳＩＧフィールドの１つ以上が繰り返されるか、Ｌ−ＳＩＧフィールドの後のシンボル、繰り返されるＬ−ＳＩＧのＬ−ＳＩＧポラリティ又は１つ以上のＬ−ＳＩＧフィールドの１つの長さフィールドからの１つは、ＨＥパケットがショートプリアンブルフォーマット又はロングプリアンブルフォーマットにより構成されているか示すことを含みうる。
【００７４】
具体例２０は、回路を有するＨＥ（Ｈｉｇｈ−Ｅｆｆｉｃｉｅｎｃｙ）ステーションである。当該回路は、ショートプリアンブルフォーマット又はロングプリアンブルフォーマットによりＨＥパケットを受信し、ここで、ＨＥパケットは１つ以上のレガシー信号フィールド（Ｌ−ＳＩＧ）と、その後の１つ以上のＨＥ信号フィールド（ＨＥ−ＳＩＧ）及びＨＥロングトレーニングフィールド（ＨＥ−ＬＴＦ）とを有し、ＨＥパケットに基づきＨＥパケットがショートプリアンブルフォーマット又はロングプリアンブルフォーマットを有するか自動検出するよう構成されてもよい。
【００７５】
具体例２１では、具体例２０の主題は、任意的には、回路は更に、以下の群、Ｌ−ＳＩＧフィールドの１つ以上が繰り返されるか、繰り返されるＬ−ＳＩＧのＬ−ＳＩＧポラリティ、Ｌ−ＳＩＧフィールドの後のシンボル又は１つ以上のＬ−ＳＩＧフィールドの１つの長さフィールドからの少なくとも１つに基づき、ＨＥパケットがショートプリアンブルフォーマット又はロングプリアンブルフォーマットを有するか自動検出するよう構成されることを含みうる。
【００７６】
具体例２２では、具体例２０の主題は、任意的には、回路は更に、１つ以上のＬ−ＳＩＧの１つの長さフィールドのモジュロー３に基づき、ＨＥパケットがショートプリアンブルフォーマット又はロングプリアンブルフォーマットを有するか自動検出するよう構成されることを含みうる。
【００７７】
具体例２３では、具体例２０〜２２の主題は、任意的には、回路に結合されるメモリと１つ以上のアンテナとを更に有することが可能である。
【００７８】
具体例２４は、無線通信装置による通信のための処理ための１つ以上のプロセッサにより実行される命令を記憶する非一時的なコンピュータ可読記憶媒体である。当該命令は、ショートプリアンブルフォーマット又はロングプリアンブルフォーマットによりＨＥパケットを生成するステップであって、ＨＥパケットは１つ以上のレガシー信号（Ｌ−ＳＩＧ）フィールドと、その後の１つ以上のＨＥ信号フィールド（ＨＥ−ＳＩＧ）及びＨＥロングトレーニングフィールド（ＨＥ−ＬＴＦ）とを有する、生成するステップと、ＨＥパケットがショートプリアンブルフォーマット又はロングプリアンブルフォーマットにより構成されるか示すよう１つ以上のレガシー信号フィールド（Ｌ−ＳＩＧ）を構成するステップとを無線通信装置に実行させるよう１つ以上のプロセッサを設定する。
【００７９】
具体例２５では、具体例２４の主題は、任意的には、当該命令は更に、１つ以上のＬ−ＳＩＧの１つの長さフィールドのモジュロー３に基づき、ＨＥパケットがショートプリアンブルフォーマット又はロングプリアンブルフォーマットにより構成されているか示すよう１つ以上のレガシー信号フィールド（Ｌ−ＳＩＧ）を構成するステップを無線通信装置に実行させるよう１つ以上のプロセッサを設定する。
【００８０】
要約は、技術的開示の性質及び要点を読者が確認することを可能にする要約を要求する３７Ｃ．Ｆ．Ｒ．Ｓｅｃｔｉｏｎ  １．７２（ｂ）に従うために提供される。それは、請求項の範囲又は意味を限定又は解釈するのに利用されないという理解により提出される。以下の請求項は詳細な説明に含まれ、各請求項が別々の実施例として成り立つ。
【図１】
0006495442.tif 000002
【図２】
0006495442.tif 000003
【図３】
0006495442.tif 000004
【図４】
0006495442.tif 000005
【図５】
0006495442.tif 000006
【図６】
0006495442.tif 000007
【図７】
0006495442.tif 000008